(57)【要約】【課題】試料を光学系の最も物体側の面に接触又は隣接するように配置した場合であっても、試料の種類、又は、試料の載置方法等によらず、鮮明な観察画像を得ることができる顕微鏡用対物を提供する。【解決手段】対物レンズ群Ｇ１１の最も物体側の面には、試料が接触又は隣接して配置され、対物レンズ群Ｇ１１の最も物体側の面を構成するレンズ成分は、ヌープ硬度１５００以上の光学材料で形成されている。【選択図】図３
2018169483.tif 000002
【特許請求の範囲】
【請求項１】
観察する試料の像を携帯情報端末が備えているカメラ機能により撮像し、撮影画像を携帯情報端末のディスプレイに表示する顕微鏡に用いられる顕微鏡用対物光学系であって、
最も物体側の面には、前記試料が接触又は隣接して配置され、
前記最も物体側の面を構成するレンズ成分は、ヌープ硬度が１５００以上の光学材料で形成されていることを特徴とする顕微鏡用対物光学系。
【請求項２】
観察する試料の像を携帯情報端末が備えているカメラ機能により撮像し、撮影画像を携帯情報端末のディスプレイに表示する顕微鏡に用いられる顕微鏡用対物光学系であって、
最も物体側の面には、前記試料が接触又は隣接して配置され、
前記最も物体側の面を構成するレンズ成分は、サファイアであることを特徴とする顕微鏡用対物光学系。
【請求項３】
請求項１又は請求項２に記載の顕微鏡用対物光学系を備えている顕微鏡であって、
顕微鏡本体と、前記顕微鏡本体に接続され、前記携帯情報端末が載置される載置台とを備え、
前記顕微鏡本体は、前記試料を載置するための試料載置部を有し、
前記顕微鏡用対物光学系の前記対物レンズ群は、前記顕微鏡本体の内部に、前記対物レンズ群の最も物体側の面が前記試料載置部で露出するように配置されていることを特徴とする顕微鏡。
【発明の詳細な説明】
【技術分野】
【０００１】
本発明は、観察する試料の像を携帯情報端末が備えているカメラ機能により撮像し、撮影画像を携帯情報端末のディスプレイに表示する顕微鏡及びそれに用いる顕微鏡用対物光学系に関する。
【背景技術】
【０００２】
本件出願人は、スマートフォン、タブレット等の携帯情報端末が備えているカメラ機能によって、観察する試料の像を撮影し、その撮影画像を携帯情報端末のディスプレイに表示する携帯情報端末設置型の顕微鏡を提案している（特願２０１６‐１６３９９７号明細書参照）。
【０００３】
また、特許文献１に使用可能な光学系としては、観察対象である試料を光学系の最も物体側の面に直接載置するものが知られている（例えば、特許文献１参照）。
【先行技術文献】
【特許文献】
【０００４】
【特許文献１】米国特許第７９９５２７２号明細書
【発明の概要】
【発明が解決しようとする課題】
【０００５】
しかし、特許文献１に記載の光学系では、硬度の高い試料等を載置したとき、又は、試料を把持するためのピンセットの先端が触れたとき等に、試料の載置面である光学系の最も物体側の面が傷ついてしまうおそれがあった。そのため、本件出願人が提案している上述の顕微鏡に特許文献１に記載の光学系を採用した場合、そのようにしてできた傷の影響によって鮮明な観察画像を得ることができないおそれがあった。
【０００６】
本発明は以上の点に鑑みてなされたものであり、試料を光学系の最も物体側の面に接触又は隣接するように配置した場合であっても、試料の種類、又は、試料の載置方法等によらず、鮮明な観察画像を得ることができる顕微鏡用対物光学系及びそれを用いた顕微鏡を提供することを目的とする。
【課題を解決するための手段】
【０００７】
上記目的を達成するために、本発明の顕微鏡用対物光学系は、
観察する試料の像を携帯情報端末が備えているカメラ機能により撮像し、撮影画像を携帯情報端末のディスプレイに表示する顕微鏡に用いられる顕微鏡用対物光学系であって、
最も物体側の面には、前記試料が接触又は隣接して配置され、
前記最も物体側の面を構成するレンズ成分は、ヌープ硬度が１５００以上の光学材料で形成されていることを特徴とする。
【０００８】
ここで、「レンズ成分」とは、レンズ単体又は接合レンズのことをいう。
【０００９】
例えば、口腔内細菌等の観察を行うために歯垢及び歯石を採取し、その歯垢及び歯石を対物レンズ群の最も物体側の面に直接載置する場合には、歯垢及び歯石を採取するために用いられる歯科用スケーラー（ステンレス製）によって、採取した歯垢及び歯石を載置する際に、対物レンズ群の最も物体側の面に傷が生じてしまうおそれがある。
【００１０】
また、屋外で土壌微生物を観察するために、土の成分を含んだ水溶液を対物レンズ群の最も物体側の面に直接載置する場合には、その土の成分によって、その水溶液を拭き取る際に、対物レンズ群の最も物体側の面に傷が生じてしまうおそれがある。
【００１１】
そこで、本発明の光学系では、最も物体側の面を構成するレンズ成分をヌープ硬度が１５００以上の光学材料によって形成している。これにより、最も物体側の面が十分な硬さを持つようになるので、その面自体に試料を直接載置したり、その面から試料を拭き取ったりしたとしても、その面には傷がつきにくい。
【００１２】
ここで、ヌープ硬度が１５００を下回る値であると、試料に混じる鉱物、微細な石片、ガラス質の結晶等により発生する傷、載置面を拭く布、紙等に付着するガラス繊維等により発生する傷を十分に防止することができない。
【００１３】
したがって、本発明の顕微鏡用対物光学系によれば、試料の載置面である光学系の最も物体側の面に傷がつきにくく、その傷による影響を受けないので、試料の種類、又は、試料の載置方法等によらず、鮮明な観察画像を得ることができる。
【００１４】
また、上記目的を達成するために、本発明の顕微鏡用対物光学系は、
観察する試料の像を携帯情報端末が備えているカメラ機能により撮像し、撮影画像を携帯情報端末のディスプレイに表示する顕微鏡に用いられる顕微鏡用対物光学系であって、
最も物体側の面には、前記試料が接触又は隣接して配置され、
前記最も物体側の面を構成するレンズ成分は、サファイアで形成されていることを特徴とする。
【００１５】
ヌープ硬度が１５００以上の光学材料のうち、サファイアは、比較的加工性が高いので、例えば、φ５ｍｍ程度の非常に小さい載置面を形成する場合には、サファイアを用いると製造しやすくなる。また、サファイアは、屈折率が１．７５程度と比較的高いので、サファイアを用いると、対物レンズ群の最も物体側の面を構成するレンズ成分を薄くすることができ、光学系全体を小型化しやすくなる。
【００１６】
また、上記目的を達成するために、本発明の顕微鏡は、
上記いずれかの顕微鏡用対物光学系を備えている顕微鏡であって、
顕微鏡本体と、前記顕微鏡本体に接続され、前記携帯情報端末が載置される載置台とを備え、
前記顕微鏡本体は、前記試料を載置するための試料載置部を有し、
前記顕微鏡用対物光学系の前記対物レンズ群は、前記顕微鏡本体の内部に、前記対物レンズ群の最も物体側の面が前記試料載置部で露出するように配置されていることを特徴とする。
【図面の簡単な説明】
【００１７】
【図１】第１実施形態に係る顕微鏡を示す斜視図であり、図１Ａは携帯情報端末を載置している状態を示し、図１Ｂは携帯情報端末を載置していない状態を示す。
【図２】図１の顕微鏡の内部の構造を示すＩＩ−ＩＩ線断面図。
【図３】図１の顕微鏡の顕微鏡用対物光学系の構成を示す光軸に沿う断面図。
【図４】図３の顕微鏡用対物光学系の対物レンズ群の構成を示す光軸に沿う断面図。
【図５】図３の顕微鏡用対物光学系の第１結像レンズ群の構成を示す光軸に沿う断面図。
【図６】図３の顕微鏡用対物光学系の第２結像レンズ群の構成を示す光軸に沿う断面図。
【図７】図３の顕微鏡用対物光学系の収差曲線図であり、図３Ａは球面収差、図３Ｂは非点収差、図３Ｃは歪曲収差を示す。
【図８】第２実施形態に係る顕微鏡の顕微鏡用対物光学系の構成を示す光軸に沿う断面図。
【図９】図８の顕微鏡用対物光学系の対物レンズ群の構成を示す光軸に沿う断面図。
【図１０】図８の顕微鏡用対物光学系の第１結像レンズ群の構成を示す光軸に沿う断面図。
【図１１】図８の顕微鏡用対物光学系の収差曲線図であり、図１１は球面収差、図１１は非点収差、図１１は歪曲収差を示す。
【図１２】図１又は図８の顕微鏡による大腸菌の観察画像を示す写真。
【図１３】図１又は図８の顕微鏡によるサルモネラ菌の観察画像を示す写真。
【図１４】図１又は図８の顕微鏡による黄色ブドウ球菌の観察画像を示す写真。
【図１５】図１又は図８の顕微鏡による緑膿菌の観察画像を示す写真。
【図１６】図１又は図８の顕微鏡による黒カビの胞子の観察画像を示す写真。
【図１７】図１又は図８の顕微鏡による酵母（カンジダ）の観察画像を示す写真。
【図１８】図１又は図８の顕微鏡によるワイン酵母の観察画像を示す写真。
【図１９】図１又は図８の顕微鏡による口腔内細菌の観察画像を示す写真。
【発明を実施するための形態】
【００１８】
［第１実施形態］
以下、図１〜図７を参照して、第１実施形態に係る顕微鏡Ｍ及びそれに用いられる光学系について説明する。顕微鏡Ｍは、観察する試料の像を携帯情報端末Ｐが備えているカメラ機能により撮像し、ディスプレイに表示するものである。
【００１９】
まず、図１及び図２を参照して、顕微鏡Ｍの構成について説明する。
【００２０】
図１Ａに示すように、顕微鏡Ｍは、顕微鏡本体１と、その顕微鏡本体１に着脱自在に接続可能な載置台２と、載置台２に載置される携帯情報端末Ｐとで構成される。
【００２１】
図１Ｂ及び図２に示すように、顕微鏡本体１は、水平方向に窪んだ凹部が形成された筐体１ａと、筐体１ａの凹部の下方側に設けられた試料載置部１ｂと、筐体１ａの凹部の上方側に配置され、試料載置部１ｂに光を照射する光源１ｃと、筐体１ａの内部に配置された光学系１ｄ（顕微鏡用対物光学系）とを有している。
【００２２】
載置台２は、携帯情報端末Ｐを載置する板状の載置板２ａと、載置板２ａを支持する板状の支持脚２ｂとによって、逆Ｌ字状の部材として構成されている。載置板２ａには、携帯情報端末Ｐを載置する側の面から顕微鏡本体１側の面まで貫くようにして円形の透視窓２ｃが形成されている。透視窓２ｃは、載置台２に載置される携帯情報端末のカメラレンズＰ１（第２結像レンズ群）と一致する位置に形成されている。
【００２３】
筐体１ａの内部には、光学系１ｄを構成するレンズ群のうち、対物レンズ群１ｄ１及び第１結像レンズ群１ｄ２が配置されている。また、対物レンズ群１ｄ１と第１結像レンズ群１ｄ２との間には、ミラーｍが配置されている。
【００２４】
対物レンズ群１ｄ１は、試料載置部１ｂに最も物体側の面が露出するように配置されており、その面には観察対象である試料が、直接又はカバーガラス等を介して隣接するようにして載置される。
【００２５】
光源１ｃから照射され、試料を透過した光は、対物レンズ群１ｄ１を通過した後、ミラーｍで反射され、第１結像レンズ群１ｄ２を介して、筐体１ａ（すなわち、顕微鏡本体１）の外部（具体的には、載置台２の透視窓２ｃに対応する位置）に出射される。
【００２６】
筐体１ａの外部に射出された光は、載置台２に載置されている携帯情報端末ＰのカメラレンズＰ１（すなわち、フォーカシング時に移動する第２結像光学系）によって結像される。その像（すなわち、試料の観察画像）は、携帯情報端末Ｐの内蔵する撮像素子によって撮影され、携帯情報端末Ｐのディスプレイ上に撮影画像として表示される。
【００２７】
次に、図３〜図７を参照して、光学系１ｄの構成について詳細に説明する。なお、図４〜図６に示した各レンズ群の光軸に沿う断面図において、ｒ１，ｒ２，・・・及びｄ１，ｄ２，・・・の数字は、数値データにおける面番号１，２，・・・に対応している。また、後述する数値データにおいては、ｓは面番号、ｒは各面の曲率半径、ｄは面間隔、ｎｄはｄ線における屈折率、νｄはｄ線におけるアッベ数をそれぞれ示している。
【００２８】
図３に示すように、光学系１ｄは、光軸Ｌｃ上に物体側から順に配置された、対物レンズ群Ｇ１１（すなわち、対物レンズ群１ｄ１）と、第１結像レンズ群Ｇ１２（すなわち、第１結像レンズ群１ｄ２）と、第２結像レンズ群Ｇ１３（すなわち、カメラレンズＰ１）とで構成されている。
【００２９】
観察対象となる試料の像（物体面Ｏに位置する像）は、対物レンズ群Ｇ１１によって第１像面ＩＭ１で一度結像する。第１像面ＩＭ１で結像した像は、第１結像レンズ群Ｇ１２及び第２結像レンズ群Ｇ１３によって、第２像面ＩＭ２で再度結像される。第２像面ＩＭ２は、携帯情報端末Ｐの撮像素子の撮像面と一致しており、その面上で結像された像は、携帯情報端末Ｐのディスプレイ上に表示される。
【００３０】
図４に示すように、対物レンズ群Ｇ１１は、物体側から順に、平レンズであるレンズＬ１１と、正の屈折力を持ち、像側に凸面を向けた平凸レンズであるレンズＬ１２と、負の屈折力を持ち、像側に凹面を向けたメニスカスレンズであるレンズＬ１３と、正の屈折力を持つ両凸レンズであるレンズＬ１４と、負の屈折力を持ち、像側に凹面を向けたメニスカスレンズであるレンズＬ１５とにより構成されている。
【００３１】
また、対物レンズ群Ｇ１１においては、レンズＬ１３とレンズＬ１４とが接合されている。
【００３２】
ここで、対物レンズ群Ｇ１１の最も物体側の面を構成するレンズ成分（レンズＬ１１）は、ヌープ硬度１５００以上の光学材料（具体的には、サファイア）によって形成されている。これにより、最も物体側の面が十分な硬さを持つようになるので、その面自体に試料を直接載置したとしても、その面には傷がつきにくい。光学系１ｄでは、そのようにしてできた傷の影響を受けることがないので、試料の種類、又は、試料の載置方法等によらず、鮮明な観察画像を得ることができる。
【００３３】
以下に、対物レンズ群Ｇ１１に係る面データを示す。
【００３４】
【表１】
2018169483.tif 000003
【００３５】
図５に示すように、第１結像レンズ群Ｇ１２は、正の屈折力を持つ両凸レンズであるレンズＬ２１と、負の屈折力を持ち、像側に凸面を向けたメニスカスレンズであるレンズＬ２２と、正の屈折力を持ち、像側に平面を向けた平凸レンズであるレンズＬ２３と、平レンズであるレンズＬ２４とにより構成されている。
【００３６】
また、第１結像レンズ群Ｇ１２においては、レンズＬ２１とレンズＬ２２とが接合されている。
【００３７】
以下に、第１結像レンズ群Ｇ１２に係る面データを示す。
【００３８】
【表２】
2018169483.tif 000004
【００３９】
上記の数値データ２に示したように、第１結像レンズ群Ｇ１２の最も像側に（すなわち、第１結像レンズ群Ｇ１２と第２結像レンズ群Ｇ１３との間に）、平レンズであるレンズＬ２４が配置されている。そして、このレンズＬ２４はフォーカシング時に固定となっている。これにより、光学系１ｄでは、第１結像レンズ群Ｇ１２と第２結像レンズ群Ｇ１３とを、独立した光学系として分離可能に構成されている。
【００４０】
ただし、レンズＬ２４は平板状レンズに限定されるものではなく、筐体１ａの形状（第１結像レンズ群Ｇ１２の配置スペース）、要求される光学性能等に基づいて、球面又は非球面のレンズを用いてもよい。
【００４１】
図６に示すように、第２結像レンズ群Ｇ１３は、正の屈折力を持つ両凸レンズであるレンズＬ３１と、負の屈折力を持つ両凹レンズであるレンズＬ３２と、正の屈折力を持ち、像側に凸面を向けたメニスカスレンズであるレンズＬ３３とによって構成されている。
【００４２】
光学系１ｄでは、第２結像レンズ群Ｇ１３の全部を光軸Ｌｃに沿って移動させることによって、フォーカシングが行われる。具体的には、後述する数値データ３における面番号６に係る面間隔（6.60ｍｍ）を変化させることによってフォーカシングを行う。なお、フォーカシングの方法は、このような構成に限定されるものではなく、第２結像レンズ群の一部を光軸に沿って移動させることによって行ってもよい。
【００４３】
以下に、第２結像レンズ群Ｇ１３に係る面データを示す。
【００４４】
【表３】
2018169483.tif 000005
【００４５】
図７に光学系１ｄ全体に係る収差図を示す。なお、図７において、図７Ａは球面収差（ＳＡ（ｍｍ））、図７Ｂは非点収差（ＡＳＴ（ｍｍ））を示し、図７Ｃは歪曲収差（ＤＩＳ（％））を示す。図７Ａ（球面収差）において、実線はＦ線、破線はｄ線、一点鎖線はＣ線の収差を示す。図７Ｂ（非点収差）において、実線はタンジェンシャル平面、破線はサジタル平面を示す。
【００４６】
図７の収差図及び後述する図１２〜図１９の観察画像からも明らかなように、対物レンズ群Ｇ１１の最も物体側の面を構成するレンズ成分が、ヌープ硬度１５００以上の光学材料（具体的には、サファイア）によって形成されている光学系１ｄを用いた場合であっても、観察する試料の像を十分な画質を確保しつつ撮像できる。
【００４７】
［第２実施形態］
以下、図８〜図１１を参照して、第２実施形態に係る顕微鏡に用いられる光学系について説明する。ただし、本実施形態の顕微鏡は、対物レンズ群及び第１結像レンズ群の構成のみにおいて、第１実施形態の顕微鏡Ｍと異なっている。対物レンズ群及び第１結像レンズ群の構成及び数値データ、並びに、光学系全体に関する数値データについてのみ説明する。
【００４８】
図８〜図１０を参照して、第２実施形態の光学系（顕微鏡用対物光学系）の構成について詳細に説明する。なお、図８〜図１０に示した各レンズ群の光軸に沿う断面図において、ｒ１，ｒ２，・・・及びｄ１，ｄ２，・・・の数字は、数値データにおける面番号１，２，・・・に対応している。また、後述する数値データにおいては、ｓは面番号、ｒは各面の曲率半径、ｄは面間隔、ｎｄはｄ線における屈折率、νｄはｄ線におけるアッベ数をそれぞれ示している。
【００４９】
図８に示すように、第２実施形態の光学系は、光軸Ｌｃ上に物体側から順に配置された、対物レンズ群Ｇ２１と、第１結像レンズ群Ｇ２２と、第２結像レンズ群Ｇ１３とで構成されている。
【００５０】
観察対象となる試料の像（物体面Ｏに位置する像）は、対物レンズ群Ｇ２１によって第１像面ＩＭ１で一度結像する。第１像面ＩＭ１で結像した像は、第１結像レンズ群Ｇ２２及び第２結像レンズ群Ｇ１３によって、第２像面ＩＭ２で再度結像される。第２像面ＩＭ２は、携帯情報端末Ｐの撮像素子の撮像面と一致しており、その面上で結像された像は、携帯情報端末Ｐのディスプレイ上に表示される。
【００５１】
図９に示すように、対物レンズ群Ｇ２１は、物体側から順に、平レンズであるレンズＬ４１と、正の屈折力を持ち、像側に凸面を向けた平凸レンズであるレンズＬ４２と、正の屈折力を持ち、像側に凸面を向けたメニスカスレンズであるレンズＬ４３と、負の屈折力を持ち、像側に凹面を向けたメニスカスレンズであるレンズＬ４４と、正の屈折力を持つ両凸レンズであるレンズＬ４５と、負の屈折力を持ち、像側に凹面を向けたメニスカスレンズであるレンズＬ４６と、正の屈折力を持つ両凸レンズであるレンズＬ４７とにより構成されている。
【００５２】
また、対物レンズ群Ｇ２１においては、レンズＬ４１とレンズＬ４２とが接合されており、レンズＬ４４とレンズＬ４５とが接合されており、レンズＬ４６とレンズＬ４７とが接合されている。さらに、対物レンズ群Ｇ２１においては、観察時に、試料と対物レンズ群Ｇ２１の最も物体側との間には、水が存在するように構成されている。
【００５３】
ここで、対物レンズ群Ｇ２１の最も物体側の面を構成するレンズ成分（レンズＬ４１）は、ヌープ硬度１５００以上の光学材料（具体的には、サファイア）によって形成されている。これにより、最も物体側の面が十分な硬さを持つようになるので、その面自体に試料を直接載置したとしても、その面には傷がつきにくい。第２実施形態の光学系では、そのようにしてできた傷の影響を受けることがないので、試料の種類、又は、試料の載置方法等によらず、鮮明な観察画像を得ることができる。
【００５４】
以下に、対物レンズ群Ｇ２１に係る面データを示す。
【００５５】
【表４】
2018169483.tif 000006
【００５６】
図１０に示すように、第１結像レンズ群Ｇ２２は、正の屈折力を持ち、像側に凹面を向けたメニスカスレンズであるレンズＬ５１と、正の屈折力を持つ両凸レンズであるレンズＬ５２と、正の屈折力を持ち、像側に平面を向けた平凸レンズであるレンズＬ５３と、平レンズであるレンズＬ５４とにより構成されている。
【００５７】
また、第１結像レンズ群Ｇ２２においては、レンズＬ５１とレンズＬ５２とが接合されている。
【００５８】
以下に、第１結像レンズ群Ｇ１２に係る面データを示す。
【００５９】
【表５】
2018169483.tif 000007
【００６０】
図１１に第２実施形態の光学系全体に係る収差図を示す。なお、図１１において、図１１Ａは球面収差（ＳＡ（ｍｍ））、図１１Ｂは非点収差（ＡＳＴ（ｍｍ））を示し、図１１Ｃは歪曲収差（ＤＩＳ（％））を示す。図１１Ａ（球面収差）において、実線はＦ線、破線はｄ線、一点鎖線はＣ線の収差を示す。図１１Ｂ（非点収差）において、実線はタンジェンシャル平面、破線はサジタル平面を示す。
【００６１】
図１１の収差図及び後述する図１２〜図１９の観察画像からも明らかなように、対物レンズ群Ｇ２１の最も物体側の面を構成するレンズ成分が、ヌープ硬度１５００以上の光学材料（具体的には、サファイア）によって形成されている第２実施形態の光学系を用いた場合であっても、観察する試料の像を十分な画質を確保しつつ撮像できる。
【００６２】
［その他の実施形態］
以上、図示の実施形態について説明したが、本発明はこのような形態に限られるものではない。
【００６３】
例えば、上記実施形態においては、試料の載置面である光学系の最も物体側の面を構成するレンズ成分の光学材料として、サファイアを用いている。しかし、サファイア以外であっても、ヌープ硬度１５００以上であれば、同様の効果を得ることができる。
【００６４】
［実験データ］
図１２〜図１９に、上記のいずれかの光学系を備えている顕微鏡による観察画像を示す。図１２は大腸菌（約３μｍ）、図１３はサルモネラ菌（約２μｍ）、図１４は黄色ブドウ球菌（約１μｍ）、図１５は緑膿菌（約３μｍ）、図１６は黒カビの胞子（約４μｍ）、図１７は酵母（カンジダ）（約５μｍ）、図１８はワイン酵母（約５μｍ）、図１９は口腔内細菌（約０．５〜１０μｍ）の観察画像である。
【符号の説明】
【００６５】
１…顕微鏡本体、１ａ…筐体、１ｂ…試料載置部、１ｃ…光源、１ｄ…光学系（顕微鏡用対物光学系）、１ｄ１，Ｇ１１…対物レンズ群、１ｄ２，Ｇ１２…第１結像レンズ群、２…載置台、２ａ…載置板、２ｂ…支持脚、２ｃ…透視窓、ＩＭ１…第１像面、ＩＭ２…第２像面、Ｌｃ…光軸、Ｍ…顕微鏡、ｍ…ミラー、Ｏ…物体面、Ｐ…携帯情報端末、Ｐ１，Ｇ１３…カメラレンズ（第２結像レンズ群）。
【図１】
2018169483.tif 000008
【図２】
2018169483.tif 000009
【図３】
2018169483.tif 000010
【図４】
2018169483.tif 000011
【図５】
2018169483.tif 000012
【図６】
2018169483.tif 000013
【図７】
2018169483.tif 000014
【図８】
2018169483.tif 000015
【図９】
2018169483.tif 000016
【図１０】
2018169483.tif 000017
【図１１】
2018169483.tif 000018
【図１２】
2018169483.tif 000019
【図１３】
2018169483.tif 000020
【図１４】
2018169483.tif 000021
【図１５】
2018169483.tif 000022
【図１６】
2018169483.tif 000023
【図１７】
2018169483.tif 000024
【図１８】
2018169483.tif 000025
【図１９】
2018169483.tif 000026